(57)【要約】      （修正有）【課題】既存の設備に複雑な増改築等の変更を加えることが少なく、また、新築や増設の建設費も低廉であり、防疫用に薬品類、燃料、電力を使用することを極力低減し、維持負担も少なく、家畜や家禽を伝染病の感染から効率良く守ることが可能な養畜施設、家禽施設および養鶏施設を提供する。【解決手段】少なくとも屋根１と庇２とを備えて地面３又は地面に相当する面に鶏舎４を設置した養鶏施設１０であって、庇２は鶏舎４を平面視した屋根１の全周に渡って水平幅Ｗが２ｍ以上であり、庇２の真下で地面３又は地面に相当する面にウイルスの侵入を阻止する防疫用の植栽領域６を設け、植栽領域６には飼育動物に対してウイルスを媒介する生物が忌避する効能を有する植物を配置する。これに類する家禽施設および養畜施設である。【選択図】図１
0003193034.tif 000002
【実用新案登録請求の範囲】
【請求項１】
少なくとも屋根と庇とを備えて地面又は地面に相当する面に畜舎を設置した養畜施設であって、
前記庇は前記畜舎を平面視した屋根の全周に渡って水平幅が２ｍ以上であり、
前記庇の真下で前記地面又は地面に相当する面にウイルスの侵入を阻止する防疫用の植栽領域を設け、
該植栽領域には前記畜舎で飼育中の家畜に対してウイルスを媒介する生物が忌避する効能を有する植物を配置したことを特徴とする養畜施設。
【請求項２】
少なくとも屋根と庇とを備えて地面又は地面に相当する面に禽舎を設置した家禽施設であって、
前記庇は前記禽舎を平面視した屋根の全周に渡って水平幅が２ｍ以上であり、
前記庇の真下で前記地面又は地面に相当する面にウイルスの侵入を阻止する防疫用の植栽領域を設け、
該植栽領域には前記禽舎で飼育中の家禽に対してウイルスを媒介する生物が忌避する効能を有する植物を配置したことを特徴とする家禽施設。
【請求項３】
少なくとも屋根と庇とを備えて地面又は地面に相当する面に鶏舎を設置した養鶏施設であって、
前記庇は前記鶏舎を平面視した屋根の全周に渡って水平幅が２ｍ以上であり、
前記庇の真下で前記地面又は地面に相当する面にウイルスの侵入を阻止する防疫用の植栽領域を設け、
該植栽領域には前記鶏舎で飼育中の鶏に対してウイルスを媒介する生物が忌避する効能を有する植物を配置したことを特徴とする養鶏施設。
【請求項４】
前記ウイルスは鳥インフルエンザであることを特徴とする請求項３に記載の養鶏施設。
【請求項５】
前記植物にはハーブを含むことを特徴とする請求項３又は４に記載の養鶏施設。
【請求項６】
前記ハーブにはアップルミントを含むことを特徴とする請求項３〜５のいずれか１項に記載の養鶏施設。
【請求項７】
前記植栽領域は前記地面の直植え可能な領域に形成されていることを特徴とする請求項３〜６のいずれか１項に記載の養鶏施設。
【請求項８】
少なくとも前記屋根の上と、前記庇の下と、のいずれかに光を反射又は発光する鳥追い具を配設したことを特徴とする請求項３〜７のいずれか１項に記載の養鶏施設。
【請求項９】
前記鳥追い具には、ミラーボールを用いたことを特徴とする請求項８に記載の養鶏施設。
【請求項１０】
前記鳥追い具には、ＬＥＤエレクトリックミラーボールを用いたことを特徴とする請求項８に記載の養鶏施設。
【考案の詳細な説明】
【技術分野】
【０００１】
本考案は、養畜施設、家禽施設および養鶏施設に関し、より詳細には、鳥インフルエンザウイルス等を伝染する媒体（以下、「保菌キャリア」ともいう）となる鳥、爬虫類又は雑多な種類の虫が忌避して近寄り難くする機能を備え、飼育中の産業動物への感染を防止する養畜施設、家禽施設および養鶏施設に関するものである。
【背景技術】
【０００２】
近年、野鳥のインフルエンザウイルスは、家禽に伝染し増殖を繰り返すことにより、家禽に対して病原性を示すように変異する。鳥インフルエンザウイルスの一部には重篤な症状を引き起こすものがあり、養鶏ならびに関連業界に多大な経済的損失を与える。鳥インフルエンザウイルスのなかでも特定の２つの亜型ウイルスを、行政上便宜的に「高病原性鳥インフルエンザウイルス」と呼び、法定家畜伝染病に指定されている。鶏舎内の鶏が高病原性鳥インフルエンザウイルスにいったん感染すると、瞬く間に鶏舎内の鶏全体に感染し、また高濃度のウイルスが鶏舎に存在すれば、近隣の養鶏場にも容易に伝染する。こうなると流行は容易に終息しない。
【０００３】
鳥インフルエンザウイルスは、ガン・カモ類、シギ・チドリ類を本来宿主とするが、その他の野鳥からも発見される。ガン・カモ類では、主として腸の細胞で増殖し、糞便を介して伝染する。しかし、これらの野鳥は通常、いずれの亜型の鳥インフルエンザウイルスに感染しても、ほとんど無症状で保菌キャリアとなる。この保菌キャリアから鶏へ感染する鳥インフルエンザウイルス感染病への防疫対策として、保菌キャリアとなる野鳥を鶏舎内に侵入させないように、鶏舎に蚊帳を被せるように展張された防鳥ネットが見られる。
【０００４】
また、特許文献１には、鶏を鳥インフルエンザウイルスの感染から守る鶏舎が開示されている。すなわち、鶏舎の気密を保ち、袋型フィルター付吸気扇のフィルターに適度の殺菌液をかけ鶏舎内へ外気を取り込む構成である。このため鶏舎内は適度の殺菌液で湿度を保ち、鳥インフルエンザウイルスのウイルスの飛散と感染防止策となり、また、鳥インフルエンザウイルスの保菌キャリアとなり得る自然界の小動物は、殺菌液の臭いを嫌うので、保菌キャリアの侵入も防ぐことができる。さらに鶏舎内の空気圧は袋型フィルター付吸気扇により気圧が高くなり排気弁型圧力窓で気圧を保ち排気することで換気ができる。このような構成の鶏舎によれば、人がドアーを開いて殺菌液の入ったパレットに足を入れて出入りする時、外気圧と内気圧の気圧差により鶏舎内の空気は外へと漏れ出し、ドアーを閉めることで鳥インフルエンザウイルスの侵入を防止でき、鶏舎の鶏を鳥インフルエンザウイルスの感染病から守ることができる。
【先行技術文献】
【特許文献】
【０００５】
【特許文献１】実用新案登録第３１３９４１７号
【考案の概要】
【考案が解決しようとする課題】
【０００６】
しかしながら、上述した防鳥ネットによる防疫対策は、以下３点の改善余地があった。第１に鶏舎の規模に応じて相当の設備コストが必要な点である。第２に鶏を世話する人や飼料、水、鶏卵、鶏糞等の物品の出入りに支障をきたす点である。第３に見栄えの良くない点である。その割には、保菌キャリアを遮断するという防疫効果の点で、必ずしも完全ではなかった。すなわち、防鳥ネットでは、その網の目を通過する程に小さな保菌キャリアの侵入まで遮断することは不可能である。つまり、防鳥ネットは、飛来する小鳥より小さな保菌キャリアに対しては侵入を阻止できない。さらに、防鳥ネットと地上との隙間から侵入するイタチ、ネズミ等の小動物のほか、蛇等の爬虫類および雑多な虫に対しても侵入を阻止することが困難であった。
【０００７】
また、特許文献１に記載の鶏を鳥インフルエンザウイルスの感染から守る鶏舎は、周知の消毒薬液を常備する設備のほか、鶏舎内の気密を保ち、かつ与圧するための設備に加え、それらの設備を維持し、稼動するためのコスト、および取り扱い手数の面から改善する余地が残されていた。これに対し、簡素な設備のままに低コストで効率良く防疫可能な養畜施設、家禽施設および養鶏施設が望まれていた。
【０００８】
本考案は、このような問題に鑑みてなされたもので、その目的とするところは、既存の設備に複雑な増改築等の変更を加えることが少なく、また、新築や増設の建設費も低廉であり、防疫用に薬品類、燃料、電力を使用することを極力低減し、維持負担も少なく、家畜や家禽を伝染病の感染から効率良く守ることが可能な養畜施設、家禽施設および養鶏施設を提供することにある。
【課題を解決するための手段】
【０００９】
本考案は、このような目的を達成するためになされたもので、請求項１に記載の考案は、少なくとも屋根（１，２１）と庇（２，２２）とを備えて地面（３）又は地面に相当する面に畜舎（４，２４）を設置した養畜施設（１０）であって、前記庇（２，２２）は前記畜舎（４，２４）を平面視した屋根（１）の全周に渡って水平幅（Ｗ）が２ｍ以上であり、前記庇（２，２２）の真下で前記地面（３）又は地面に相当する面にウイルスの侵入を阻止する防疫用の植栽領域（６，２６）を設け、該植栽領域（６，２６）には前記畜舎（４，２４）で飼育中の家畜に対してウイルスを媒介する生物が忌避する効能を有する植物を配置したことを特徴とする。
【００１０】
また、請求項２に記載の考案は、少なくとも屋根（１，２１）と庇（２，２２）とを備えて地面（３）又は地面に相当する面に禽舎（４，２４）を設置した家禽施設（１０）であって、前記庇（２，２２）は前記禽舎（４，２４）を平面視した屋根（１）の全周に渡って水平幅（Ｗ）が２ｍ以上であり、前記庇（２，２２）の真下で前記地面（３）又は地面に相当する面にウイルスの侵入を阻止する防疫用の植栽領域（６，２６）を設け、該植栽領域（６，２６）には前記禽舎（４，２４）で飼育中の家禽に対してウイルスを媒介する生物が忌避する効能を有する植物を配置したことを特徴とする。
【００１１】
また、請求項３に記載の考案は、少なくとも屋根（１，２１）と庇（２，２２）とを備えて地面（３）又は地面に相当する面に鶏舎（４，２４）を設置した養鶏施設（１０）であって、前記庇（２，２２）は前記鶏舎（４，２４）を平面視した屋根（１）の全周に渡って水平幅（Ｗ）が２ｍ以上であり、前記庇（２，２２）の真下で前記地面（３）又は地面に相当する面にウイルスの侵入を阻止する防疫用の植栽領域（６，２６）を設け、該植栽領域（６，２６）には前記鶏舎（４，２４）で飼育中の鶏に対してウイルスを媒介する生物が忌避する効能を有する植物を配置したことを特徴とする。
【００１２】
また、請求項４に記載の考案は、請求項３に記載の養鶏施設において、前記ウイルスが鳥インフルエンザであることを特徴とする。
また、請求項５に記載の考案は、請求項３又は４に記載の養鶏施設において、前記植物にハーブを含むことを特徴とする。
また、請求項６に記載の考案は、請求項３〜５のいずれか１項に記載の養鶏施設において、前記ハーブにアップルミントを含むことを特徴とする。
【００１３】
また、請求項７に記載の考案は、請求項３〜６のいずれか１項に記載の養鶏施設において、前記植栽領域（６，２６）が前記地面（３）の直植え可能な領域に形成されていることを特徴とする。
また、請求項８に記載の考案は、請求項３〜７のいずれか１項に記載の養鶏施設において、少なくとも前記屋根（１，２１）の上と、前記庇（２，２２）の下と、のいずれかに光を反射又は発光する鳥追い具（７，８）を配設したことを特徴とする。
また、請求項９に記載の考案は、請求項８に記載の養鶏施設において、前記鳥追い具（７，８）には、ミラーボール（７，８）を用いたことを特徴とする。
また、請求項１０に記載の考案は、請求項８に記載の養鶏施設において、前記鳥追い具（７，８）には、ＬＥＤエレクトリックミラーボール（７，８）を用いたことを特徴とする。
【考案の効果】
【００１４】
本考案によれば、既存の設備に複雑な増改築等の変更を加えることが少なく、また、新築や増設の建設費も低廉であり、防疫用に薬品類、燃料、電力を使用することを極力低減し、維持負担も少なく、家畜や家禽を伝染病の感染から効率良く守ることが可能な養畜施設、家禽施設および養鶏施設を実現できる。
【図面の簡単な説明】
【００１５】
【図１】本考案の第１実施形態に係る養畜施設、家禽施設又は養鶏施設の外観を示す斜視図である。
【図２】本考案の第２実施形態に係る養畜施設、家禽施設又は養鶏施設の外観を示す斜視図である。
【考案を実施するための形態】
【００１６】
以下、図面を参照して本考案の実施形態について説明する。
図１は、本考案の第１実施形態に係る養畜施設、家禽施設又は養鶏施設の外観を示す斜視図である。なお、養畜施設は牛、馬、ヤギ、羊等を飼育する施設。家禽施設は鶏、あひる、七面鳥、うずら等の鳥類を飼育する施設。養鶏施設は鶏を飼育する施設である。以下、本考案の第１実施形態に係る代表例として、切妻屋根型の鶏舎４を備えた養鶏施設１０について説明する。なお、養鶏施設１０の内部構成を適宜変更すれば、鶏以外の家禽施設、あるいは、養畜施設にも本考案を適用できる。
【００１７】
図１に示すように、養鶏施設１０は、地面３又は地面に相当する面（以下、単に「地面」という）に鶏舎４が設置されている。なお、ここでいう「地面に相当する面」については、地面３に一般的な平屋建ての鶏舎４が建てられている場合のほか、人工的な基台等（不図示）で構成される面か、又は２層以上の床を有する面を想定しているが、そのような地面以外の面も含めて、単に地面３と呼んで説明する。また、切妻屋根型の建物における各面の呼び名として、長辺側、あるいは屋根の棟（むね）と平行な面を平（ひら）といい、短辺側、あるいは屋根の棟と直角な面を妻（つま）という。鶏舎４は、切妻における妻の壁面５ａのみに扉９が配設され、切妻における平の壁面５ｂには窓等の開放部を設けずに閉鎖した構造である。
【００１８】
この鶏舎４は、少なくとも屋根１と、その屋根１が延設された庇（ひさし）２と、を備えている。この庇２の水平幅Ｗとは、鶏舎４の壁５ａから庇２の先端２ａまでの水平距離、あるいは鶏舎４の壁面５ｂから庇２の先端２ｂまでの水平距離を意味する。このように庇２の長さを平面視（水平面に投影）した水平幅Ｗは２ｍ以上確保されている。また、鶏舎４において、平面視した切妻型の屋根１の妻側と平側との全周に渡って、庇２の水平幅Ｗが２ｍ以上確保されている。
地面３のうち庇２の真下の領域には、ウイルスの侵入を阻止する防疫用の植栽領域６が、水平幅Ｗを２ｍ以上確保して帯状に設けられている。この植栽領域６には、鶏舎４で飼育中の鶏に対してウイルスを媒介する生物が忌避する効能を有する植物を配置した。
扉９は、鶏を世話する人や飼料、水、鶏卵、鶏糞等の物品の出入り口である。扉９の前面に展開する植栽領域６の中には、特に歩行路のような領域を設ける必要は無い。そのため、疫用植栽６における扉９の前面から外部の地面３へとつながる領域に歩行路等を設けないが、それでも特に支障はない。
【００１９】
ウイルスを媒介する生物が忌避する効能を有する植物として、ハーブが有効である。ハーブ類は、防虫、駆虫、殺虫、抗ウィルス、殺菌、消毒、防腐、そして害鳥避けといった有益な薬効物質を発散することが知られている。ハーブ類は、高く伸びる木ではなく、地面に繁茂する草である。ハーブ類のなかでも、特にアップルミントは頑健な植物であり、地下茎と種子とのいずれでも増殖し、一株植えただけで近隣領域に広がり、他の雑草を駆逐する勢いがある。したがって、一度植えられたアップルミントは、維持管理の負担も少なく、植栽領域６の効力を長期間に渡って保持することが可能である。上述のようにアップルミントは頑健な植物であるため、植栽領域６のうち扉９の前面から外部の地面３へとつながる領域を、人がある程度の頻度で踏み歩いても構わない。
【００２０】
以下、鳥インフルエンザウイルスを例示して説明する。鳥インフルエンザウイルスは、主に渡り鳥が媒介する。すなわち、渡り鳥が保菌キャリアとなって、ウイルスを運搬することにより、他の鳥に１〜２ｍ以内の至近距離で、分泌液や排泄物等による飛沫感染又は空気感染することが知られている。また、保菌キャリアの糞に接触したネズミなどの小動物を介して感染することもある。さらに、鳥インフルエンザウイルスは、鳥や小動物以外にも爬虫類又は雑多な種類の虫が保菌キャリアとなって感染することもある。これに対し、植栽領域６は、養鶏施設１０で飼育中の鶏に、保菌キャリアを近寄り難くすることで防疫効果を発揮できる。
【００２１】
ハーブ類が防疫効果を発揮する理由は、ウイルスを媒介する生物が忌避する効能を有するからである。すなわち、ハーブ類は、上述した保菌キャリアとなる鳥、小動物、爬虫類および雑多な種類の虫が忌避する薬効成分を放出する。植栽領域６は、地面３のうち庇２の真下で直植え可能な領域に、薬効成分を放出するハーブ類を直植えすることにより形成されている。地面３に直植えされたハーブ類は、地面３から上方に薬効成分を放出し、強風で無い限りは、庇２の下で壁５ａ，５ｂ沿いの空間に薬効成分を常時漂わせる。この薬効成分は、平面視した鶏舎４を包囲するように鶏舎４の全周に渡って漂う。その結果、植栽領域６は保菌キャリアに忌避される効果を持続できる。
【００２２】
また、鶏舎４には、追加の鳥追い具として、少なくとも屋根１の上と、庇２の下と、のいずれかに光を反射又は発光する鳥追い具７，８が配設されている。この鳥追い具７，８として、ＬＥＤエレクトリックミラーボール（単に「ミラーボール」ともいう）７，８を用いている。より詳細には、鶏舎４の棟の上に所定間隔ごとに支柱が植設され、その支柱の先端に不図示の配電線を伴ってミラーボール７，８が固定されている。ミラーボール７，８は通電されることにより、野鳥の嫌うような回転光線を発生する。その結果、鶏舎４に外部から飛来する鳥が寄り付き難くなる。つまり、追加の鳥追い具として、鶏舎４に配設されたミラーボール７，８は、鶏舎４に飼育された鶏に対し、渡り鳥等の保菌キャリアを近寄り難くする効果を強化する。このＬＥＤエレクトリックミラーボール７，８は、廉価で消費電力もきわめて少なく、耐久性も十分であり、鳥追い効果も良好である。なお、ＬＥＤエレクトリックミラーボール７，８に代えて、歓楽ホール等で視覚的演出用として天井に設置される通常型のミラーボールを用いても構わない。さらに、ミラーボール７，８に代えて、廃棄ＣＤ（Ｃｏｍｐａｃｔ  Ｄｉｓｃ）を風揺れ可能に取り付けても良い。
【００２３】
なお、上述の廃棄ＣＤ等による直射日光の反射を利用した鳥追い具（以下、「日光反射型の鳥追い具」という）は、晴天の日中に良好な効果を発揮する。しかし、地域や季節によっては晴天でない場合も多い。また、鴨や鷭（バン）などの渡り鳥は夜行性を有する。したがって、上述した日光反射型の鳥追い具では効果の薄い夜間、曇天および悪天候にも十分な鳥追い効果を発揮させるために、施設の規模に応じた数量のＬＥＤエレクトリックミラーボール７，８を終日にわたって点灯することが望ましい。このような用途に対しても、ＬＥＤエレクトリックミラーボール７，８は、消費電力もきわめて少なく、耐久性も十分であるため、費用対効果の点でも優れている。
【００２４】
図２は本考案の第２実施形態に係る養畜施設、家禽施設又は養鶏施設の外観を示す斜視図である。なお、図１で説明した同一効果の部材に対しては同一符号を付して説明を省略し、図１のものと異なる点のみを説明する。すなわち、図１の鶏舎４は通常の家屋に比べて大きめの庇２を有する切妻屋根型であったところ、図２に示す鶏舎２４は、切妻屋根２１の庇２２が極端に長く、地上に届くまで延設した長い構造の庇２２を有する。そのため、平面視で方形の鶏舎２４において、切妻における妻の面５ａに係る庇２２の先端２２ａの下方のみ開放され、切妻における平の壁面５ｂを覆う庇２２の先端２２ｂは地面３に接続されている。壁面５ｂを覆う庇２２の真下の地面３にはコンクリート敷設面２９が形成されている。また、庇２２と、壁面５ｂと、コンクリート敷設面２９と、により囲まれた空間は、三角柱を寝かせた形状に形成されている。また、コンクリート敷設面２９は日陰でもあり、植栽領域を設けない構成である。
【００２５】
図２の鶏舎２４と図１の鶏舎４とのさらなる相違点は、図１の鶏舎４が、平面視による環状の植栽領域６を備えているところ、図２に示す鶏舎２４は、切妻における妻側の壁面５ａに面した長方形の２箇所に植栽領域２６を備えており、植栽領域２６の総面積が比較的狭い点である。鶏舎２４の植栽領域２６が狭くても足りる理由は、長い壁面５ｂを斜めに覆う庇２２により外界から半ば遮蔽された構造による。つまり、鶏舎２４は、屋根２１および庇２２の構造上、中の鶏に保菌キャリアを、近づけ難くする効果が高いからである。なお、植栽領域２６のうち、扉９の前面から外部の地面３へとつながる領域も、図１の鶏舎４と同様にある程度の頻度で人が踏み歩いて構わない。
【００２６】
以上のように、本考案によれば、既存の設備に複雑な増改築等の変更を加えることが少なく、また、新築や増設の建設費も低廉であり、防疫用に薬品類、燃料、電力を使用することを極力低減し、維持負担も少なく、家畜や家禽を伝染病の感染から効率良く守ることが可能な養畜施設、家禽施設および養鶏施設を実現できる。
【産業上の利用可能性】
【００２７】
本考案は、牛、馬、豚、ヤギ、羊等の家畜を飼育する養畜施設、あるいは、鶏、あひる、七面鳥、うずら等の家禽を飼育する家禽施設に適用できる。なかでも養鶏施設に好適であり、そこで飼育される鶏を鳥インフルエンザウイルスの感染から効率良く守ることが可能な養鶏施設として利用可能性がある。
【符号の説明】
【００２８】
１，２１  屋根
２，２２  庇
２ａ，２ｂ  庇（２）の先端
３  地面
４，２４  畜舎、禽舎、鶏舎
５ａ  切妻における妻の壁面
５ｂ  切妻における平の壁面
６，２６  植栽領域
７，８  ミラーボール（鳥追い具）
９  扉
１０，２０  養蓄施設、家禽施設、養鶏施設
２２ａ，２２ｂ  庇（２２）の先端
２９  コンクリート敷設面
Ｗ  庇（２，２２）の水平幅、又は植栽領域（６，２６）の幅
【図１】
0003193034.tif 000003
【図２】
0003193034.tif 000004